(57)【要約】【課題】Ｅｔｈｅｒｎｅｔ間をトランスペアレントに接続する中継網において、現状はＥｔｈｅｒｎｅｔのデータパケットと制御用パケットが同一のパケットとして中継網では処理される。そのため、中継網において輻輳や障害が発生した場合、Ｅｔｈｅｒｎｅｔの制御パケットのパケットロスによりＥｔｈｅｒｎｅｔ側で障害を検出する可能性がある。その結果、Ｅｔｈｅｒｎｅｔ側で経路切替動作が行なわれてしまうことが課題である。【解決手段】Ｅｔｈｅｒｎｅｔのデータパケットと制御パケットを別のパス識別子で転送し、制御用パスを優先付けすることで制御パケットを保護する。【選択図】　　　　図２
2004072659.tif 000002
【特許請求の範囲】
【請求項１】
Ｅｔｈｅｒｎｅｔの中継網においてＥｔｈｅｒｎｅｔの制御パケットをトランスペアレントに転送するＥｔｈｅｒｎｅｔ制御方法であって、Ｅｔｈｅｒｎｅｔの制御パケットを中継網において優先度付けする中継網制御方法。
【請求項２】
請求項１に記載の中継網制御方法であって、ＭＰＬＳ（Ｍｕｌｔｉ　Ｐｒｏｔｏｃｏｌ　Ｌａｂｅｌ　Ｓｗｉｔｃｈｉｎｇ）で用いられるシグナリング技術を用いて、データパケット用パスと、制御パケット用のパス確保を行なう中継網制御方法。
【請求項３】
請求項１に記載の中継網制御方法であって、中継網のエッジノードにおいて、Ｅｔｈｅｒｎｅｔ側からの制御パケットの制御用パスを、制御パケットのＤｅｓｔｉｎａｔｉｏｎ　ＭＡＣアドレスとＥｔｈｅｒｎｅｔ　Ｔｙｐｅを使って選択する中継網制御方法。
【請求項４】
請求項２に記載の中継網制御方法であって、中継網内で制御用パス識別子のリストを基に中継網内でパス単位で優先制御を行なう中継網制御方法。
【発明の詳細な説明】
【０００１】
【発明の属する技術分野】
本発明はＥｔｈｅｒｎｅｔ間通信における中継網に関する。
【０００２】
【従来の技術】
現在、中継網を介したＥｔｈｅｒｎｅｔ間通信を行なう際、Ｅｔｈｅｒｎｅｔ間でやり取りされるデータパケットと制御パケットは中継網では同一のパケット処理が行なわれる。
【０００３】
【発明が解決しようとする課題】
そのため、例えばＥｔｈｅｒｎｅｔ間でＳＴＰ（Ｓｐａｎｎｉｎｇ　Ｔｒｅｅ　Ｐｒｏｔｏｃｏｌ：ＩＥＥＥ　８０２．１ｄ）を利用している時に、中継網で輻輳が発生した場合、ＳＴＰのＫｅｅｐＡｌｉｖｅで使用する制御パケットのＢＰＤＵ（Ｂｒｉｄｇｅ　Ｐｒｏｔｏｃｏｌ　Ｄａｔａ　Ｕｎｉｔ）は中継網でパケットロスされてしまう可能性があり、その制御パケットのロスによってＥｔｈｅｒｎｅｔ間で障害が発生したと誤認し、ＳＴＰの切替動作を行なう可能性がある。
【０００４】
【課題を解決するための手段】
Ｅｔｈｅｒｎｅｔ間通信において中継網での輻輳や障害によりＥｔｈｅｒｎｅｔ間でやり取りする制御パケットをパケットロスさせないために、制御パケット用のパスをデータパケットとは別に中継網で確保し、パス単位の優先制御を行なうことで制御パケットを保護することを特徴とすることを提案する。
本発明によれば、中継網を介したＥｔｈｅｒｎｅｔ間通信における制御パケットのパケットロスを回避可能となる。
【０００５】
また、請求項２では、パス確保をデータパケット用と制御パケット用のパスを自動的に確保することを特徴とするものを提案する。パス確保の仕組みはまず、制御用パスの確保を従来のＭＰＬＳのシグナリング技術（ＲＳＶＰ−ＴＥ，ＣＲ−ＬＤＰ）を使って行い、制御用パスを確保した後、連続して自動的にデータ用パスを確保するものである。制御用パスのリクエストの送信は最初に行なわれ、その次にデータパスのリクエストが行なわれる。識別子リクエストのリプライを送信するエッジノードは送信元Ｌｏｏｐｂａｃｋアドレスを参照することで、１番目のパスか、２番目のパスかを判断できる。リプライを送信するエッジノードはリプライメッセージの中に制御用パスの場合は最高優先ビットを割り振ることで、制御用パス識別子であることが判断可能である。リプライメッセージを受け取る中継ノードはパス識別子の割り当てに加えてリプライメッセージの中の優先ビットを参照することで、制御用パスであるかどうかの判断が可能である。
本発明によれば、一度のパス確保要求でデータ用と制御用のパスを自働的に確保することを可能にする。
【０００６】
また、請求項３では、中継網のエッジノードにおいて、パケットを送る際、パケットのＤｅｓｔｉｎａｔｉｏｎ　ＭＡＣアドレス、Ｅｔｈｅｒｎｅｔ　Ｔｙｐｅを参照して制御パケットかデータパケットかを判断してどのパスで送るかを決定するものを提案する。
本発明によれば、中継網のエッジノードにおいて、Ｅｔｈｅｒｎｅｔのデータパケットか制御パケットかの判断を行なうことを可能にする。
【０００７】
また、請求項４では、中継ノードにおいて制御用パス識別子を基に優先制御を行なうことを特徴とするものを提案する。中継ノードでは、どのパス識別子が制御用であるかについて請求項２によって判別可能である。通常の優先制御はＷＦＱ（Ｗｅｉｇｈｔｅｄ　Ｆａｉｒ　Ｑｕｅｕｉｎｇ）を用いて行なうが、制御用パス識別子テーブルのリストを基にリストに合致する識別子のパケットが来た場合その制御パケットに対してはＰＱ（Ｐｒｉｏｒｉｔｙ　Ｑｕｅｕｉｎｇ）の処理を行なう。
本発明によれば、パス識別子を基に優先制御を行ない、制御パケットロスを回避することを可能にする。
【０００８】
【発明の実施の形態】
本発明の１実施形態について図を用いて説明する。図１は本発明のネットワーク構成図を説明する図である。
【０００９】
本発明では、図１のように、中継網（１−１）を介してＥｔｈｅｒｎｅｔ網（１−６）、（１−７）をトランスペアレントに接続する形態を想定する。図１において、（１−２）〜（１−５）は中継網（１−１）のエッジノードであり、（１−８）はＥｔｈｅｒｎｅｔ網（１−６）のＥｔｈｅｒｎｅｔノードであり、（１−９）はＥｔｈｅｒｎｅｔ網（１−７）のＥｔｈｅｒｎｅｔノードであり、（１−１０）は端末装置である。このＥｔｈｅｒｎｅｔ網間でＳＴＰを設定する場合、制御パケットが中継網を通過し、対向のＥｔｈｅｒｎｅｔ網に到達するが、中継網で輻輳、障害が生じた場合には制御パケットが対向のＥｔｈｅｒｎｅｔ網に到達しない可能性があり、その場合にはＳＴＰの切替動作が始まってしまうのが課題である。これはＥｔｈｅｒｎｅｔ網の制御パケットとデータパケットが中継網で同一の優先処理が行なわれるためである。そこで、中継網においてＥｔｈｅｒｎｅｔ網の制御パケットとデータパケットを区別して転送する方法を提案する。それにより中継網での輻輳、障害をＥｔｈｅｒｎｅｔ網で検出しない仕組みが可能になる。パス識別子のシーケンスを図２に示す、中継網（２−１）においてパス識別子の設定はＭＰＬＳのＲＳＶＰ−ＴＥによるパス識別子設定をベースにして行なう。しかし、通常のシグナリングと異なる点はデータ用パスと制御用パスを同時に設定する点である。中継網のエッジノード（２−２）においてパスを新規に設定するとき、制御用パス識別子リクエストメッセージを対向のエッジノード（２−７）に対して送信する。対向のエッジノード（２−７）はリクエストメッセージを新規に受信した場合、制御用パスとし、パス識別子情報と高優先情報をリプライメッセージとして送信する。エッジノード（２−２）がリプライメッセージを受信すると、次にデータ用パス識別子のメッセージをエッジノード（２−７）に対して送信する。エッジノード（２−７）ではリクエストメッセージのＬｏｏｐｂａｃｋアドレスを参照することで、最初に受信したものか２回目に受信したものかで制御用パスかデータ用パスであるかを判断できる。エッジノード（２−７）ではリクエストメッセージのＬｏｏｐｂａｃｋアドレスを参照後、２回目に受信したものであると判断するとリプライメッセージとしてデータ用パス識別子と低優先情報を含めてエッジノード（２−２）に送信する。よってエッジノード（２−２）、（２−７）では制御用パスとデータ用パスの優先度を区別して管理することが可能となる。
【００１０】
次に中継ノード（２−３）〜（２−６）の動作であるが、エッジノード（２−７）からの制御用パスのリプライメッセージを中継ノード（２−５）が受信するとパス識別子と優先情報を参照し、高優先パスであると認識後、中継ノード（２−４）へ制御用パスのリプライメッセージを転送する。中継ノード（２−４）についても同様に高優先パスであると認識後、エッジノード（２−２）に転送する。また、エッジノード（２−７）よりデータ用パスのリプライメッセージを中継ノード（２−６）が受信すると、中継ノード（２−６）はリプライメッセージ内の優先情報を参照し、低優先パスであると認識後、中継ノード（２−３）へ転送する。中継ノード（２−３）がリプライメッセージを受信すると、中継ノード（２−６）と同様に優先情報を参照後、エッジノード（２−２）ヘリプライメッセージを転送する。これらより、中継ノード（２−３）〜（２−６）において高優先パス識別子と低優先識別子を別々に管理することが可能となる。
【００１１】
続いて、Ｅｔｈｅｒｎｅｔ網よりパケットが中継網（２−１）に入ってきた時の動作について説明する。中継網のエッジノード（２−２）にパケットをＥｔｈｅｒｎｅｔ網より受信すると、エッジノード（２−２）では、そのパケットのＤｅｓｔｉｎａｔｉｏｎ　ＭＡＣアドレス、Ｅｔｈｅｒｎｅｔ　Ｔｙｐｅを参照し特定のマルチキャストアドレスかつ特定のＥｔｈｅｒｎｅｔ　Ｔｙｐｅであれば制御パケットであると判断し、制御用パスでカプセル化し、中継網（２−１）へ転送する。また、Ｅｔｈｅｒｎｅｔ網より受信したパケットのＤｅｓｔｉｎａｔｉｏｎ　ＭＡＣアドレス、Ｅｔｈｅｒｎｅｔ　Ｔｙｐｅを参照し、制御パケットでないと判断するとデータ用パスを使って転送する。各中継ノード（２−３）〜（２−６）では転送されてきたパケットのパス識別子を参照し、高優先パスか低優先パスかを判断し、高優先であれば高優先キューに入れ、低優先パスであれば低優先キューに入れ、優先処理を行ない、パケット転送を行なう。
【００１２】
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００１３】
【発明の効果】
本発明によりデータ用パス、制御用パスを同一の中継ノードを通らず中継網内では別経路で設定することが可能となる。それにより、中継網の輻輳、障害に対して制御パケットの保護を実現可能である。そして、パス識別子を基に優先制御を行なうことを可能にする。
【図面の簡単な説明】
【図１】本発明のネットワーク構成を説明する図である。
【図２】制御用パス、データ用パス識別子割り当てシーケンスを示す図である。
【符号の説明】
１−１…中継網、１−２〜１−５…エッジノード、１−６、１−７…Ｅｔｈｅｒｎｅｔ網、１−８、１−９…Ｅｔｈｅｒｎｅｔノード、１−１０…端末装置、２−１…中継網、２−２〜２−７…中継ノード
【図１】
2004072659.tif 000003
【図２】
2004072659.tif 000004